(57)【要約】【課題】  本発明は、病室内に設置され、患者に医療看護行為を行う為の病室用医療用コンソールユニットに関するもので、簡単な構造で、機能性・意匠性に優れた医療用コンソールユニットを提供することを課題とする。【解決手段】  医療用ガス等のアウトレットやコンセント、スイッチ等が組みつけられる医療用コンソールユニットにおいて、少なくとも前記アウトレットの前方側が、開閉自在の扉体で覆われることによってアウトレットを隠蔽するとともに、扉体を開放することによってアウトレットが露呈するものであって、矩形を成す板状の扉体の一辺側に回転軸を設け、該回転軸を軸として回動開閉自在とするとともに、扉体を、扉体を回動開放した状態から、扉体を回動開放した状態の扉体先端側から前記回転軸側に向かう方向に、スライド移動可能にする。【選択図】  図２
2015051229.tif 000002
【特許請求の範囲】
【請求項１】
医療用ガスのアウトレットや医療用壁掛式吸引器の取り付けフック、ナースコール子機器具、コンセント、スイッチ等が組み付けられる医療用コンソールユニットにおいて、医療用コンソールユニットは、上下方向に長い縦型形態を成し、開閉自在の扉体を備え、閉止状態の該扉体で、前記アウトレットの前面側が覆われることによって、少なくともアウトレットが隠蔽されるとともに、閉止した扉体を開放することによって、アウトレットが露呈するように施されたものであって、扉体は、略矩形を成す板状であって、扉体の左右縦辺のいずれか一辺側を回転軸とし回動開閉自在とされ、前記ナースコール子機器具は、隠蔽されずに常に露呈した状態で組み付けられ、医療用コンソールユニットのアウトレット組み付け部の上方側に、医療用コンソールユニットの内部と連通するメンテナンス用開口部が設けられ、該メンテナンス用開口部がパネル体によって閉塞されていることを特徴とする医療用コンソールユニット。
【請求項２】
扉体は、扉体を回動開放した状態から、扉体を回動開放した状態の扉体先端側から扉体の回転軸側に向かう方向に、スライド移動可能とされることを特徴とする請求項１に記載の医療用コンソールユニット。
【発明の詳細な説明】
【技術分野】
【０００１】
本発明は、主に病室内に設置され、患者に医療看護行為を行う為のコンセント、スイッチ、ナースコールなどの電気設備や、医療用ガスのアウトレットなどが組み付けられる医療用コンソールユニットに関するものである。
【背景技術】
【０００２】
ベッドの頭部側壁面に固定された医療用コンソールユニットにおいて、医療用ガス等のアウトレット等の医療看護設備が露呈すると、患者が息苦しさと不安感が生じ、病室の雰囲気としても好ましくないため、医療用ガス等のアウトレット等を摺動開閉自在な前面カバーによって覆うものがある。
このような前面カバーは昇降機構を介して取り付けられており、前面カバーを上昇させて前面を開放し、上昇させた前面カバーを下降させて前面を閉鎖するように開放閉塞自在とされる。
そして、前面カバーから開放された部分にアウトレットが並べられ、医療用壁掛式吸引器を引っ掛けるフックが取り付けられている。
医療用壁掛式吸引器は、前記フックの上方より下方に向かってスライドさせることによって、フックに医療用壁掛式吸引器を引っ掛けるが、医療用壁掛式吸引器の種類によっては、医療用壁掛式吸引器をフックの上方より下方に向かってスライドさせる時に、フックの上方に上昇した状態の前面カバーがあると、前面カバーと医療用壁掛式吸引器が干渉してフックに取り付けることができないといった問題がある。
また、アウトレットの上方部に、ガス配管や電気配線のメンテナンス作業用にメンテナンス用開口部を設け、該開口部を着脱自在なパネルで閉塞し、メンテナンス時に前記パネルを取り外しメンテナンス作業が行えるようにしたものがあるが、昇降式の前面カバーの場合、上昇した扉がメンテナンスの邪魔になるので、メンテナンスの度にカバー体を取り外す必要があった。
さらに、昇降式の前面カバーにすると、前面カバーを上昇させる時に、前面カバーの重量分を持ち上げることになるため、大きな前面カバーにした場合には上昇操作が非常に重たくなる。操作が重たくなるのを軽減させるためにバランサーなどを設ける方法もあるが、構造が複雑になるばかりでなく、扉の大きさが変化するたびにバランサーの調整が必要となり手間がかかるといった問題がある。
また、横長形態の医療用コンソールの場合、医療用コンソールユニットの平面視における面積が大きくなるため、医療用コンソールユニットの面積分の病室の床面積が減少するといった問題がある。
【０００３】
【特許文献１】特開２０１０−０４２０７２公報
【発明の開示】
【発明が解決しようとする課題】
【０００４】
本発明は、従来の問題点に鑑みて、簡単な構造で、機能性・意匠性に優れた使い勝手のよい医療用コンソールユニットを提供することを課題とする。
【課題を解決するための手段】
【０００５】
そこで、上記課題を解決する為、本発明が第１の手段として構成したところは、医療用ガスのアウトレットや医療用壁掛式吸引器の取り付けフック、ナースコール子機器具、コンセント、スイッチ等が組み付けられる医療用コンソールユニットにおいて、医療用コンソールユニットは、上下方向に長い縦型形態を成し、開閉自在の扉体を備え、前記アウトレットの前面側が閉止状態の前記扉体で覆われることによって、少なくともアウトレットが隠蔽されるとともに、閉止した扉体を開放することによって、アウトレットが露呈するように施されたものであって、扉体は略矩形を成す板状であって、扉体の左右縦辺のいずれか一辺側を回転軸とし回動開閉自在とされ、前記ナースコール子機器具は、隠蔽されずに常に露呈した状態で組み付けられ、医療用コンソールユニットのアウトレット組み付け部の上方側に、医療用コンソールユニットの内部と連通するメンテナンス用開口部が設けられ、該メンテナンス用開口部がパネル体によって閉塞されているものである。
【０００６】
次に、上記課題を解決する為、本発明が第２の手段として構成したところは、上記第１手段に加え、扉体は、扉体を回動開放した状態から、扉体を回動開放した状態の扉体先端側から扉体の回転軸側に向かう方向に、スライド移動可能とされるものである。
【発明の効果】
【０００７】
請求項１に記載の発明によると、医療用ガス等のアウトレットが扉体で覆われるので、アウトレットが露呈することがなく患者が息苦しさと不安感が生じにくい。また、アウトレットへの悪戯を防止することができる。扉体は、一辺側に設けられた回転軸を軸として回動開放するので、フックの上方に開放した扉体がくることはない。そのため、医療用壁掛式吸引器をフックの上方より下方に向かってスライドさせる場合にも、医療用壁掛式吸引器が扉体に干渉することがなく、吸引ビンを容易にフックに引っ掛けることができる。さらに、アウトレットの上部にメンテナンス用開口部があっても、メンテナンス時に扉体が邪魔にならないのでメンテナンスが容易に行える。そして通常は、メンテナンス用開口部を扉体と同じ厚みのパネル体で塞くこともできるため、扉体を閉止した状態では医療用コンソールユニットの前面に無用な凹凸がなく見栄えが良い。
また、ナースコール子機器具は、常に露呈しており扉体で隠れることもないため、必要なときにすぐに利用できる。
そして、医療用コンソールユニットは、縦型形態とされているため、床面から天井面まで延伸させることが容易で、天井内に配設される医療用のガス配管や電気配線などを、天井から直接医療用コンソールユニットの上面から医療用コンソールユニット内に引き込むができるので、ガス配管、電気工事が容易になるだけではなく、医療用コンソールユニットの平面視における面積が、横長形態の医療用コンソールに比べ小さくできるので、病室の床面積の減少を抑制することができる。
【０００８】
請求項２に記載の発明によると、扉体は、一辺側に設けられた回転軸を軸として回動開放するだけでなく、開放した扉体は、扉体を回動開放した状態から、扉体を回動開放した状態の扉体先端側から前記回転軸側に向かう方向にスライド移動可能であるから、扉体が必要以上に突出せず、医療看護行為の邪魔にならない。
【発明を実施するための最良の形態】
【０００９】
医療用ガスのアウトレットや医療用壁掛式吸引器の取り付けフック、ナースコール子機器具、コンセント、スイッチ等が組み付けられる医療用コンソールユニットにおいて、医療用コンソールユニットは、上下方向に長い縦型形態を成し、開閉自在の扉体を備え、閉止状態の該扉体で、前記アウトレットの前面側が覆われることによって、少なくともアウトレットが隠蔽されるとともに、閉止した扉体を開放することによって、アウトレットが露呈するように施されたものであって、扉体は、略矩形を成す板状であって、左右縦辺のいずれか一辺側を回転軸とし回動開閉自在とされ、前記ナースコール子機器具は、隠蔽されずに常に露呈した状態で組み付けられ、医療用コンソールユニットのアウトレット組み付け部の上方側に、医療用コンソールユニットの内部と連通するメンテナンス用開口部が設けられ、該メンテナンス用開口部がパネル体によって閉塞され、扉体は、扉体を回動開放した状態から、扉体を回動開放した状態の扉体先端側から扉体の回転軸側に向かう方向に、スライド移動可能とされる医療用コンソールユニット。
【実施例】
【００１０】
以下、第１実施例を添付図面に基づいて詳述する。
図１において、符号１００は、ベッド２００の頭部側壁面２０１に設置された本発明の医療用コンソールユニットを示し、医療用コンソールユニット１００は、本体１と、本体１の前面側に回転摺動レール４、４を介して設置される扉体２と、扉体２上方側に設けられたパネル体３より構成されている。
尚、図１におけるベッド２００の頭部側壁面２０１側を後面、その対向側を前面とし、前面、後面方向を前後方向とし、左右方向は、前面側から後面側を見た状態での左右方向と便宜的に設定する。
【００１１】
本体１は、前面側が開口する平面視略コ字形の基枠１１と、基枠１１の上端部に取り付けられた隙間調整材１２と、基枠１１の左右間の所定位置に取り付けられた左右区画板１３と、基枠１１の下端部の前面側開口部を閉塞する巾木板１４とで縦長箱状に形成されると共に、基枠１１の上下方向中間付近の前面側に、医療用ガスのアウトレット（取出金具）用のアウトレット開口部１５１が設けられたガス取出用化粧カバー１５が着脱自在に取り付けられ、該ガス取出用化粧カバー１５の下方部に、電気設備の種類に応じた電気設備開口部１６１が設けられた電気設備用化粧カバー１６が着脱自在に取り付けられたものである。
左右区画板１３によって、本体１の内部は、ガス配管スペース、強電スペース、弱電スペースに別けられる。
尚、これらのアウトレット開口部１５１、電気設備開口部１６１の数量・位置は、医療用コンソールユニットが設置される病室の仕様に応じて適宜設定されるものである。
【００１２】
そして、アウトレット２１、医療用壁掛式吸引器の取り付けフック２２がアウトレット開口部１５１から露呈するように、アウトレット２１、医療用壁掛式吸引器の取り付けフック２２が基枠１１に設けられた取り付け座１７に取り付けられ、医用コンセント２３、医用接地端子２４の接続部が電気設備開口部１６１から露呈するように、医用コンセント２３、医用接地端子２４の接続部が電気設備用化粧カバー１６に取り付けられている。
尚、アウトレット取り付け部付近の本体１の内部には、左右区画板１３が設けられないが、区画カバー体１３ａによってガス配管スペース、強電スペース、弱電スペースに別けられる。
また、アウトレット取り付け部の下方部の本体１の内部には、隔壁板１３ｂが設けられ、隔壁板１３ｂによって、隔壁板１３ｂ下方部の電気配線スペースと隔壁板１３ｂ上方部ガス配管スペースに別けられる。そして、隔壁板１３ｂには前記区画カバー体１３ａによって形成された強電スペース、弱電スペース部に対応して連通孔１３ｃが設けられており、電気配線を本体１の上端から下端部まで通すことができるようになっている。
【００１３】
これらのガス取出用化粧カバー１５、電気設備用化粧カバー１６の前面側は、閉止時の扉体２によって露呈しないように覆われる。
【００１４】
隙間調整部材１２は、基枠１１の上端と天井下面との隙間を埋めるものであって、後面側が開口する平面視略コ字形を成し、上下高さ調節可能に基枠１１に取り付けられている。
【００１５】
基枠１１の右側面には、電気設備の種類に応じた側面電気設備開口部１１１が形成され、該側面電気設備開口部１１１に、患者による操作によって医療従事者を呼び出すためのナースコール子機器具２５と照明器具用スイッチ２６、一般用コンセント２７が取り付けられている。
尚、これらの側面電気設備開口部１１１の数量・位置は、医療用コンソールユニットが設置される病室の仕様に応じて適宜設定されるものである。
【００１６】
扉体２は縦長矩形の板状であって、ガス取出用化粧カバー１５、電気設備用化粧カバー１６の前面を覆い、アウトレット２１、医療用壁掛式吸引器の取り付けフック２２や医用コンセント２３等が隠蔽できる大きさに設定され、左側端部側を回転軸として回転摺動レール４、４を介して開閉自在に基枠１１に取り付けられている。また、扉体２に右側端部付近の正面には扉体の開放用の取手２０が取り付けられている。
尚、実施例における扉体２は矩形を成しているが、これは基本形態を示しているものであって、図８、図９に示すように扉体２の前面に凹凸をつけたり、上端面をアール状にしたりと意匠の変更をしても構わない。
【００１７】
回転摺動レール４は、外側レール４１１と内側レール４１２と、外側レール４１１と内側レール４１２間で複数の摺動用ボール４１３を保持するボールリテーナー４１４とで構成されるスライドレール４１と、内側レール４１１に取り付けられた回転軸４２１を有するヒンジ４２とで構成され、外側レール４１１が扉体２の裏面のレール取り付け部２０１に固定され、ヒンジ４２が基枠１１の左端部正面側切り欠き部１１２に固定される。
【００１８】
このように取り付けられた扉体２は、閉塞状態から取手２０を手前に引くと、ヒンジ４２の回転軸４２１を軸として回転開放する。そして、扉体２が閉塞した状態から約９０度開いた状態（図２の状態）で、扉体２を後方側に押し込むと、扉体２は、スライドレール４１の摺動作用によって後方側にスライド移動し、図７に示すように本体１の左側面外側に収容される。
このように扉体２は本体１の左側面外側に収容されるので、袋状の扉収容部のように埃溜りになるといったことや、清掃性が悪いといったことがないので、病院での使用に適している。
【００１９】
扉体２の閉塞時にキャッチ２１によって、不用意に扉体２が開放しないように施される。キャッチ２１は、扉体２の右端部裏面側に設けられるキャッチ部材２１１と、基枠１１の右端部正面側に設けられるキャッチ受け２１２とで構成されるものであって、キャッチ部材３１１とキャッチ受け２１２が係合することによって不用意な扉体２の開放を防止している。
また、キャッチ２１は、扉体２の閉塞時に、扉体２が左右方向に摺動しないように規制する規制手段も兼ねている。
扉体２は施錠装置などを設けることによって、管理者以外が不用意に開放できないようにしてもよい。
【００２０】
パネル体３は、扉体２とほぼ同じ厚みの縦長矩形の板状に形成され、扉体２の上方の基枠１１の前面のメンテナンス用開口部１１３を閉塞するように、キャッチ３０１などで着脱自在に基枠１１に取り付けられている。パネル体３は、意匠上の役割に加え、本体１の内に配設されるガス配管や電気配線などをメンテナンスするときに、本体１から一時的に外されるメンテナンスカバーの役割も兼ねているものである。
パネル体３は、ヒンジなどを用いて回動開閉できるようにしてもよい。この場合、悪戯防止のため、鍵で施錠するなど容易に開閉出来ないようにしたほうが良い。
図１２、１３に示すように、扉体２を上方まで延伸させ、扉体２で隠れる部分にパネル体３を設置しても良い。この場合、パネル体３の表面はガス取出用化粧カバー１５の表面と面一となるようにした方が見栄えがよい。
【００２１】
図１４〜１６に示すように、扉体２が閉塞状態で、扉体２の回転軸側が前方で、対向側が後方になるように傾斜させると、アウトレットなどが患者側に向くので使い勝手もよくなることに加え、扉体２の収容時に、前述の実施例と比較して、扉体２をより多く本体１の側面側で隠すことができる。
尚、図１４〜１６の扉体２には取手が設けられず、扉体２の閉塞状態で、扉体２の先端を本体１の右側面より突出するように扉体２の大きさが設定され、該突出部３００に手を掛けて扉体２を開放できるように施されている。
【００２２】
アウトレット２１、医療用壁掛式吸引器の取り付けフック２２や医用コンセント２３、医用接地端子２４、扉体２は、本体の正面側ではなく、本体の側面側に設置しても良い
この場合、ナースコール子機器具２５と照明器具用スイッチ２６は、本体の側面側のアウトレット下方部に設置されることになるため、ナースコール子機器具２５と照明器具用スイッチ２６が常時露呈するように、扉体２をアウトレットが隠蔽する大きさ（高さ）とし、アウトレットのみを隠蔽するほうが使い勝手に優れる。
この場合、パネル体３は、アウトレット組み付け部の上方側の
本体１の側面側に設けてもよいが、アウトレット組み付け部の上方側の本体１の正面側に設けたほうがメンテナンス性に優れる。
【００２３】
図１７は、従来品であって、医療用壁掛式吸引器４００が、扉体２に干渉して、医療用壁掛式吸引器の取り付けフック２２に引っ掛けることができない状態を示している。
【図面の簡単な説明】
【００２４】
【図１】医療用コンソールユニットの使用状態を示す斜視図
【図２】医療用コンソールユニットの扉体を回動開放した状態の斜視図
【図３】医療用コンソールユニットの正面図
【図４】図３のＡ−Ａ線要部拡大断面図
【図５】図３のＢ−Ｂ線要部拡大断面図
【図６】図３のＣ−Ｃ線要部拡大断面図
【図７】医療用コンソールユニットにアウトレット等の器具を取り付け、扉体を摺動収容した状態を示す斜視図
【図８】他の実施例の正面図
【図９】図８のＡ−Ａ線要部拡大断面図
【図１０】図２のＡ部拡大図
【図１１】図７のＡ部拡大図
【図１２】他の実施例を示す正面図
【図１３】図１２の他の実施例の扉体を開放した状態を示す正面図
【図１４】他の実施例を示す要部拡大断面図
【図１５】図１４の他の実施例の扉体を回動開放した状態を示す要部拡大断面図
【図１６】図１４の他の実施例の扉体を摺動収容した状態を示す要部拡大断面図
【図１７】従来品の横断面図
【符号の説明】
【００２５】
１        本体
２        扉体
３        パネル体
４        回転摺動レール
１００    医療用コンソールユニット
２１      アウトレット
２２      医療用壁掛式吸引器の取り付けフック
２５      ナースコール子機器具
２６      スイッチ
２７      コンセント
１１３    メンテナンス用開口部
【図１】
2015051229.tif 000003
【図２】
2015051229.tif 000004
【図３】
2015051229.tif 000005
【図４】
2015051229.tif 000006
【図５】
2015051229.tif 000007
【図６】
2015051229.tif 000008
【図７】
2015051229.tif 000009
【図８】
2015051229.tif 000010
【図９】
2015051229.tif 000011
【図１０】
2015051229.tif 000012
【図１１】
2015051229.tif 000013
【図１２】
2015051229.tif 000014
【図１３】
2015051229.tif 000015
【図１４】
2015051229.tif 000016
【図１５】
2015051229.tif 000017
【図１６】
2015051229.tif 000018
【図１７】
2015051229.tif 000019